(57)【要約】      （修正有）【課題】インクの吐出量を変更させることなく画像形成の再現性が低下することを防止できるインクジェット記録装置を提供する。【解決手段】インクジェットヘッドと搬送ローラモータと複数の収納カセットと用紙種類情報取得デバイスおよびコントローラを備える。複数の収納カセットは、画像が形成される記録媒体を収納する。用紙種類情報取得デバイスは、複数の収納カセットの個々に収納された記録媒体の用紙種類情報を処理する。コントローラは、画像を形成するためのインク情報を算出し、このインク情報と前記用紙種類情報取得デバイスから得られた用紙種類情報に基づいてインクジェットヘッドで画像を形成する記録媒体を決定し、その決定された記録媒体が収納されている当該収納カセットから記録媒体を繰り出す指示をする。【選択図】図３
2014141038.tif 000002
【特許請求の範囲】
【請求項１】
インク滴を吐出するインクジェットヘッドと、
このインクジェットヘッドから吐出されたインクによって画像が形成される記録媒体を前記インクジェットヘッドの方向へ搬送する搬送ローラモータと、
画像が形成される記録媒体を収納する複数の収納カセットと、
この複数の収納カセットの個々に収納された記録媒体の用紙種類情報を処理する用紙種類情報取得デバイスと、
画像を形成するためのインク情報を算出し、このインク情報と前記用紙種類情報取得デバイスから得られた用紙種類情報に基づいて前記インクジェットヘッドで画像を形成する記録媒体を決定し、決定された記録媒体が収納されている当該収納カセットから記録媒体を繰り出す指示をするとともに、画像を形成するために前記インクジェットヘッドからインク滴を吐出させるコントローラとを、
備えたことを特徴とするインクジェット記録装置。
【請求項２】
記録媒体の一方の面と、他方の面を異なるインクジェットヘッドで画像を形成することを特徴とする請求項１記載のインクジェット記録装置。
【請求項３】
前記用紙種類情報取得デバイスは、複数の前記収納カセットの個々に設けられ、記録媒体の厚みを測定するための光学センサを含むことを特徴とする請求項１または２記載のインクジェット記録装置。
【発明の詳細な説明】
【技術分野】
【０００１】
本発明の実施形態は、インクジェット記録装置に関する。
【背景技術】
【０００２】
インクジェット記録装置は、記録媒体である用紙上にインク滴をインクジェットヘッドから吐出することによって画像を形成している。インクジェット記録装置で画像を形成すると、表面である第１面に記録される画像に対して大量のインク滴をインクジェットヘッドから吐出させる場合、または、用紙の厚さが薄い場合は、表面に記録された画像が裏抜けといわれる裏映りする現象があった。この裏映りの現象を防ぐために用紙の種類に対応して裏映りが生じないインク吐出量を設定したテーブルを設け、選択した用紙の種類に基づいてテーブルからインクの吐出量を求め、求めた吐出量からインクをインクジェットから吐出させていた。
【先行技術文献】
【特許文献】
【０００３】
【特許文献１】特開２００２―１３７３８２公報
【発明の概要】
【発明が解決しようとする課題】
【０００４】
本発明の実施形態が解決しようとする課題は、用紙の種類によってインクの吐出量を変更させると、画像形成するための用紙の種類によって画像の品質が変わる点である。そこで、インクの吐出量を変更させることなく画像形成の再現性が低下することを防止できるインクジェット記録装置を提供することである。
【課題を解決するための手段】
【０００５】
上記課題を解決するために、本発明の実施形態におけるインクジェット記録装置は、インクジェットヘッドと搬送ローラモータと複数の収納カセットと用紙種類情報取得デバイスおよびコントローラを備える。インクジェットヘッドは、インク滴を吐出する。搬送ローラモータは、インクジェットヘッドから吐出されたインクによって画像が形成される記録媒体をインクジェットヘッドの方向へ搬送する。複数の収納カセットは、画像が形成される記録媒体を収納する。用紙種類情報取得デバイスは、複数の収納カセットの個々に収納された記録媒体の用紙種類情報を処理する。コントローラは、画像を形成するためのインク情報を算出し、このインク情報と前記用紙種類情報取得デバイスから得られた用紙種類情報に基づいてインクジェットヘッドで画像を形成する記録媒体を決定し、その決定された記録媒体が収納されている当該収納カセットから記録媒体を繰り出す指示をするとともに、画像を形成するために前記インクジェットヘッドからインク滴を吐出させる。
【図面の簡単な説明】
【０００６】
【図１】実施の形態に係るインクジェット記録装置の縦断面図である
【図２】実施の形態に係るインクジェット記録装置の電気的ブロック図である。
【図３】実施の形態に係るメインフローチャートである。
【図４】実施の形態に係る収納カセット判断処理Ａのフローチャートである。
【図５】第１の実施の形態に係る収納カセット判断処理Ｂフローチャートである。
【図６】第２の実施の形態に係る収納カセット判断処理Ｂフローチャートである。
【発明を実施するための形態】
【０００７】
以下、図を用いて、第１の実施の形態について説明をする。
（第１の実施の形態)
図１は、第１の実施の形態に係るインクジェット記録装置１の縦断面図である。インクジェット記録装置は、給紙部１０、搬送部２０、画像形成部３０、排紙部５０、表示部６０等を備えている。
【０００８】
給紙部１０は、記録媒体である用紙Pを積層して収納する第１の収納カセット１１と、第１の収納カセット１１に収納されている用紙をピックアップする第１の給紙ローラ１２と、用紙Pを積層して収納する第２の収納カセット１３と、第２の収納カセット１３に収納されている用紙Pをピックアップする第２の給紙ローラ１４と、用紙Pを積層して収納する第３の収納カセット１５と、第３の収納カセット１５に収納されている用紙Pをピックアップする第３の給紙ロ-ラ１６などを備えている。
搬送部２０は、第１の収納カセット１１第２の収納カセット１３第３の収納カセット１５から給紙された用紙Pをガイドするための搬送ガイド２１と、搬送ガイド２１に沿って配置されている複数の搬送ローラ２２と、画像形成部３０直前の位置に配置されたレジストローラ２３等を備える。
【０００９】
画像形成部３０は、データに応じて用紙Pにインクを吐出する複数のインクジェットヘッド３１と、この複数のインクジェットヘッド３１へインクを供給するインクタンク３２と、表面に孔を有し用紙Pを搬送する搬送ベルト４１と、搬送ベルト４１の内部に設けられた複数のローラ４２乃至４４と、搬送ベルト４１の内部に設けられた負圧チャンバ４５と、ファン４６と、負圧チャンバ４５とファン４６との間を連結しているダクト４７等が設けられている。
【００１０】
複数のインクジェットヘッド３１は、インクの色毎に符号を変えている。すなわち、黒色インクを吐出するプラックインクジェットヘッド３１B、イエローインクを吐出するイエローインクジェットヘッド３１Y、マゼンダインクを吐出するマゼンダインクジェットヘッド３１M、シアンインクを吐出するシアンインクジェットヘッド３１Cである。それぞれのインクジェットヘッド３１は、用紙搬送方向と直交する方向にインクを吐出するノズルが所定の間隔でライン上に形成されている。すなわち、各インクジェットヘッドは、用紙幅より長い距離を有するライン型のインクジェットヘッドである。ライン型のインクジェットヘッドは、一つのヘッドで実現させても、複数のヘッドの一部を重複させて千鳥状に配置させてユニット化し一つの色のインクジェットヘッドとさせてもよい。また、各インクジェットヘッド３１は、用紙Pの搬送方向下流側からプラックインクジェットヘッド３１B、イエローインクジェットヘッド３１Y、マゼンダインクジェットヘッド３１M、シアンインクジェットヘッド３１Cの順番に配置されている。
【００１１】
画像形成部３０には、ブラックインクジェットヘッド３１Bと接続しているブラックインクタンク３２Bと、イエローインクジェットヘッド３１Yと接続しているイエローインクタンク３２Yと、マゼンダインクジェットヘッド３１Mと接続しているマゼンダインクタンク３２Mと、シアンインクジェットヘッド３１Cと接続しているシアンインクタンク３２Cとが配置されている。
【００１２】
また、排紙部５０は、画像形成部３０から送り出された用紙Pをガイドするための第１の排紙ガイド５１と、第１の排紙ガイド５１に沿って配置されている複数の第１の排紙ローラ５２を配置している。また、第１の排紙ローラ５２よりも用紙Pの搬送方向に対して下流側に第１のフラッパー５３を配置しているとともに、第１のフラッパー５３よりも用紙Pの搬送方向に対して下流側に用紙Pをガイドするための第２の排紙ガイド５４と、第２の排紙ローラ５５を配置している。また、第１のフラッパー５３よりも用紙Pの搬送方向に対して下流側には用紙Pをガイドするための第２の排紙ガイド５４とは異なる用紙ガイド５６と、用紙ガイド５６に沿って配置されている複数の用紙ローラ５７を配置している。
【００１３】
搬送部２０は、給紙ガイド２１と用紙ガイド５６とが接続している。また、レジストローラ２３の近傍で、給紙ガイド２１と用紙ガイド５６とが接続している位置に第２のフラッパー５８を配置している。給紙ガイド２１と、給紙ローラ２２と、第２のフラッパー５８とレジストローラ２３と、用紙ガイド５６と、用紙ローラ５７とは、用紙Pの向きを反転させる反転機構の構成にもなっている。用紙Pが用紙ガイド５６と給紙ガイド２１の双方にまたがって配置されている際に、用紙Pは給紙ローラ２２と用紙ローラ５７に同時に挟持しているタイミングがある。
【００１４】
排紙部５０において、用紙Pが用紙ガイド５６の方向に進む際は、第１の排紙ガイド
対５１および排紙ローラ５２は、用紙ガイド５６および用紙ローラ５７と同じ機能の用
紙ガイドおよび用紙ローラであり、排紙の機能ではない。
【００１５】
インクジェット記録装置１は、筐体部分に表示部６０を有している。表示部６０は、内部の状態を表示する表示器６１と複数のボタンが配置されているオベレーションパネル（オペパネ)６２を有している。この複数のボタンは図示しないが、タッチパネルであり、表示器６１と共通化している。
【００１６】
収納カセットは図示では３つを示しているが、３つに限ることはなく異なる種類の用紙を収納するためであるので複数のいずれの数でもよい。また、例示としてカセットとしているがトレー形状のものでもよく、本実施の形態ではトレー形状のものも収納カセットと定義する。
【００１７】
次に図２を用いて本実施の形態のインクジェット記録装置１の制御に係るプロック図の説明をする。
【００１８】
インクジェット記録装置１は、コントローラであるCPU（中央制御装置)１０１と、各種のプログラムなどを記憶しているROM（リードオンリーメモリ) １０２と、各種の可変データや画橡データなどを一時的に記憶しているRAM（ランダムアクセスメモリ) １０３と外部からのデータを入力したり、外部でデータを出力するインターフェース（I/F)１０４を有する。CPU１０１はバス１００を介してROM１０２、RAM１０３、１/F１０４と接続している。
【００１９】
また、インクジェット記録装置１はバス１００を介して、給紙・搬送・排紙制御駆動回路１１０と、インクジェットヘッドヘッド制御駆動回路１３０と、センサ制御回路１４０と、ベルト駆動モータ制御駆動回路１５０と、ファン制御駆動回路１６０と、表示器オペパネ制御回路１７０が接続されている。給紙・搬送・排紙制御駆動回路１１０は、給紙ローラ１２を回転させるための給紙ローラモータ１１２と、給紙ローラ１４を回転させるための給紙ローラモータ１１４と、給紙ローラ１６を回転させるための給紙ローラモータ１１６と接続している。
【００２０】
また、給紙・搬送・排紙制御駆動回路１１０は、複数の搬送ローラ２２とレジストローラ２３を回転させるための搬送ローラモータ１２２と、複数の用紙ローラ５７を回転させるための用紙ローラモータ１２３と、第１の排紙ローラ５２および第２の排紙ローラ５５を回転させるための排紙ローラモータ１２４と接続している。また、給紙・搬送・排紙制御駆動回路１１０は、第１のフラッパー５３の先端の向きを替えるための切替ソレノイド１２５と、第２のフラッパー５８の先端の向きを替えるための切替ソレノイド１２６等と接続している。搬送ローラモータ１２２は、インクジェットヘッドから吐出されたインクによって画像が形成される記録媒体をインクジェットヘッドの方向へ搬送する。
【００２１】
インクジェットヘッド制御駆動回路１３０は、ブラックインクジェット３１Bとイエローインクジェット３１Yと、マゼンダインクジェット３１Mと、シアンインクジェット３１Cと接続している。センサ制御回路１４０は、第１の収納カセット１１内部に配置されている用紙センサ１４１と、第２の収納カセット１３内部に配置されている用紙センサ１４３と、第３の収納カセット１５内部に配置されている用紙センサ１４５等と接続している。センサ制御回路１４０、用紙センサ１４１、１４３、１４５等で、用紙種類情報取得デバイスを構成している。用紙種類情報取得デバイスは、複数の収納カセットの個々に収納された記録媒体の用紙種類情報を処理する。
【００２２】
ベルト駆動モータ制御駆動回路１５０は、搬送ベルト４１の内部に設けられたローラ４４を回転させるためのベルト駆動モータ１５１と接続している。ファン制御駆動回路１６０は、ファン４６を回転させるためのファンモータ１６１と接続している。
【００２３】
用紙センサ１４１、１４３、１４５は用紙Pの搬送方向と直交する方向すなわち第１の収納カセット１１乃至第３の収納カセット１５の側面に記置されており、積層されている用紙Pの個々の厚みを測定するための光学センサを含む。各用紙センサは、収納カセット一方の側面に配置された発光業子と、発光素子が配置されている側面の反対側側面に受光素子を有している。発光素子から照射された光が積層された用紙間を通り反対側の受光素子側に入力される。光を受光した間隔に基づいて、積層されている用紙の厚みをCPU１０１が推定するようになっている。
【００２４】
ここで、インクジェット記録装置１の印刷の作用について説明をする。最初にインクジェット記録装置１による片面印刷作用について説明をする。インクジェット記録装置１は、I/F１０４を介して外部からの印刷（記録)データを受け取ったならば、用紙種類情報に基づいて第１の収納カセット１１、第２の収納カセット１３、第３の収納カセット１５のいずれから用紙Pを給紙するかを判断する。この判断の詳細については後述する。どの収納カセットから給紙するかが決定されたならば、当該用紙カセットに対応する給紙ローラに対応する給紙ローラモータが回転され用紙Pが給紙される。例えば用紙種類情報に基づいて第１の収納カセット１１に収納されている用紙が該当しているならば、CPU１０１は給紙・搬送・排紙制調駆動回路１１０に給紙ローラモータ１１２を駆動するように指示をする。これにより給紙ローラモータ１１２が回転することにより、第１の給紙ローラ１２が回転し、第１の収納カセット１１に収納されている用紙Pが給紙される。第１の給紙ローラ１２等によって給紙された用紙Pは、搬送ローラモータ１２２によって搬送ガイド２１内を搬送され、レジストローラ内２３の方向に搬送される。用紙Pの先端がレジストローラ２３に接した後の所定のタイミングでさらに用紙Pは搬送される。用紙Pはローラ４４に接続しているベルト駆動モータ１５１によって搬送ベルト４１が移動することによっても搬送される。用紙Pが搬送ベルト４１によって搬送される際に、搬送ベルト４１はファン４６によって吸引され負圧チャンバ４５と密着状態になっている。また、用紙Pも搬送ベルト４１の表面に設けられた孔によって搬送ベルトに密着状態になっている。用紙Pは搬送ベルト４１によって搬送されながら受信した印刷データに基づいてインクジェットヘッド３１から吐出されるインクによって第１面（表面)が印刷される。モノクロ印刷の場合は、ブラックインクジェット３１Bのみによって印刷され、カラー印刷の場合は、ブラックインクジェットヘッド３１B、イエローインクジェットヘッド３１Y、マゼンダインクジェットヘッド３１M、シアンインクジェットヘッド３１０からのインクの吐出でによって印刷される。さらに用紙Pが搬送されると、用紙Pは第１の排紙ローラ５２および第２の排紙ローラ５５によってインクジェット記録装置１の外側に排出される。
【００２５】
次にインクジェット記録装置１による両面印刷作用について説明をする。インクジェット記録装置１は、I/F１０４を介して外部からの印刷（記録)データを受け取ったならば、用紙種類情報に基づいて第１の用紙カセット１１、第２の用紙カセット１３、第３の用紙カセット１５のいずれから用紙Pを給紙するかを判断する。どの用紙カセットから給紙するかが決定されたならば、当該用紙カセットに対応する給紙ローラに対応する給紙ローラモータが回転され用紙Pが給紙される。例えば用紙種類情報に基づいて第１の用紙カセット１１に収納されている用紙が該当しているならば、CPU１０１は給紙・搬送・排紙制御駆動回路１１０に給紙ローラモータ１１２を駆動するように指示をする。これにより給紙ローラモータ１１２が回転することにより、第１の給紙ローラ１２が回転し、第１の収納カセット１１に収納されている用紙Pが給紙される。第１の給紙ローラ１２等によって給紙された用紙Pは、搬送ローラモータ１２２によって搬送ガイド２１内を搬送され、レジストローラ内２３の方向に搬送される。用紙Pの先端がレジストローラ２３に接した後の所定のタイミングでさらに用紙Pは搬送される、用紙Pはローラ４４に接続している搬送ローラモータ１２２によって搬送ベルト４１が移動することによっても搬送される。
【００２６】
用紙Pは搬送ベルト４１によって搬送されながら受信した印刷データに基づいてインクジェットヘッド３１から吐出されるインクによって第１面（表面)が印刷される。モノクロ印刷の場合は、ブラックインクジェット３１Bのみによって印刷され、カラー印刷の場合は、ブラックインクジェットヘッド３１B、イエローインクジェットヘッド３１Y、マゼンダインクジェットヘッド３１M、シアンインクジェットヘッド３１Cからのインクの吐出でによって印刷される。
【００２７】
さらに用紙Pが搬送されると、用紙Pは第１の排紙ローラ５２とよって第１の排紙ガイド５３に沿って移動する。第１の排紙ガイド５１についてこの場合は用紙搬送ガイドの機能としての役割をしている。また、両面印刷の第一面印刷完了時は、第１のフラッパー５３は、給紙・搬送・排紙制御駆動回路１１０を駆動させて切替ソレノイド１２５によって第２の排出ローラ側への経路をふさぐ位置に配置させている。用紙Pは第１のフラッパー５３によって、用紙ガイド５６の方に案内される。用紙ガイドと５６に導かれた用紙Pは、用紙ローラ５７に接続している用紙ローラモータ１２３の駆動によって搬送される。用紙ローラモータ１２３によって用紙Pが搬送されている場合、第２のフラッパー５８は、給紙・搬送・排紙制御駆動回路１１０を駆動させて切替ソレノイド１２６によってレジストローラ５３を覆う位置に配置されるように制御されている。したがって、図１の左側に示している用紙ガイド５６および第３の収納カセット１５につながる搬送ガイド２１によって形成されている搬送路は連通している。用紙Pの後端が第２のフラッパー５８より給紙ガイド２１側に位置しているタイミングで、用紙ローラモータ１２３および搬送ローラモータ１２２の回転を停止させるように、CPU１０１は給紙・搬送'・排紙制御駆動回路１１０に指令をする。
【００２８】
停止指令の所定時間後にＣＰＵ１０１は給紙・搬送・排紙制御駆動回路１１０に逆方向の回転指示を出すとともに、第２のフラッパー５８によって用紙ガイド５６と搬送ガイド２１の間を塞ぐように指示を出す。用紙Pがレジストローラ２３方向に搬送され、用紙Pは第２面（裏面)に印刷される処理および以降の処理は、先の説明と同様であるので、説明を省略する。
【００２９】
次に図３のフローチャートを用いて、用紙種類情報に基づいて、第１の収納カセット１１、第２の収納カセット１３および第３の収納カセット１５に収納されているいずれの用紙を用いて印刷するか決定する処理を説明する。インクジェット記録装置１の外部からI/F１０４を介して印字指示を検知したならば、ＣＰＵ１０１は指示内容が片面印刷か両面印刷かを判断する（A３０１)。すなわち、第１面のみを印刷する片面印刷か、第１面および第２面双方を印刷する両面印刷かを判断する。両面印刷であると判断したならば（A３０１のYes)、CPU１０１は、受信した印刷データの第１面および第２面双方を印刷面単位で画像解析をする（A３０２)。次にCPU１０１は、第１面で使用するインク情報であるインクの使用予測量を算出する（A３０３)。 CPU１０１は、同様に第２面で使用するインクの使用予測量を算出する（A３０４)。第１面および第２面で使用するインクの使用予測量は、用紙Pの片面全体の単位であってもよいし、片面全体のうちの所定の領域であってもよい。本実施の形織では片面全体を単位として処理する場合で説明をする。
【００３０】
ＣＰＵ１０１は第１面および第２面で使用するインクの使用量の予測に基づいて、インクジェット記録装置１のどの収納カセットに収納されている用紙Pを用いて印刷をするかの判断する（収納カセット判断処理Ａ・A３０５)。 この収納カセット判断処理のサブフローとして詳細に説明する。
【００３１】
ＣＰＵ１０１は、収納カセット判断処理で指定された収納カセット情報をRAM１０３の所定の領域に記憶する（A３０６)。CPU１０１は受信したデータについてインクジェットヘッド３１を用いて印刷するように、インクジェット制御駆動回路１３０に指示をして印刷動作を開始させる（A３０７)。このA３０７の指示の際は、収納カセット判断処理Ａで指定した収納カセットに収納されている用紙Pを給紙して印刷させる指示及び当該収納カセットから記録媒体を繰り出す指示もあわせて行う。さらに、I/F１０４を介して受信した印刷lデータを裏映り防止のために、インクドロップ量を変更するような補正は行ってなく、I/F１０４から受け取ったドロップ情報告そのまま実行するようにCPU１０１は処理している。
【００３２】
また、CPU１０１が片面印刷であると判断したならば（A３０１のNo)、受信した印刷データの第１面を印刷面単位で画像解析をする（A３１２)。次にＣＰＵ１０１は、第１面で使用するインクの使用予測量を事出する（A３１３)。第２面で使用するインクの使用予想量は、用紙Pの片面全体の単位であってもよいし、片面全体のうちの所定の領域でもよい。 すなわち、片面の複数のブロックに分けて処理してもよい。本実施の形態では片面全体を単位として処理する場合で説明をする。ＣＰＵ１０１は第１面で使用するインクの使用予測量に基づいて、インクジェット記撮装置１のどの収納カセットに収納されている用紙Pを用いて印刷をするかの判断する（収納カセット判断処理:Ｂ４００)この収納カセット判断処理のサプフローとして詳細に記述する。
【００３３】
次に図４を用いて、収納カセット判断処理Ａの説明をする。ＣＰＵ１０１は、判断基準となる面は第１面と第２面のいずれになるか判断をする（A３３１)。すなわち、ＣＰＵ１０１は、使用するインクの最大使用量が第１面側か、第２面側かを判断する。なぜならば、インク使用予測量の多い方の面が裏映りの可能性が高いためである。判断基準が第１面側であるならば（A３３１のYes)、ＣＰＵ１０１は、第１面側を判断基準とする（A３３２)。すなわち第１面側の方部インク使用予測量について第２面側より多いとＣＰＵ１０１が判断した場合である。ＣＰＵ１０１は、第１面のインク使用予測量に基づいて収納カセット判断処理Ｂの処理を行う（A４００)。判断基準が第１面側でないならば（A３３１のNo)、ＣＰＵ１０１は第２面側を判断基準とする。すなわち第２面側の方がインク使用予測量について第１面側より多いとＣＰＵ１０１が判断した場合である。ＣＰＵ１０１は、第２面のインク使用予測量に基づいて収納カセット判断処理Ｂの処理を行う（A４００)。
【００３４】
次に図５を用いて収納カセット判断処程Ｂ（A４００)の説明を行う。CPU１０１は、第１面のインク使用予測量（インク総量）がaμl以下であるか否かを判断する（A４０１)。インク使用予測量がaμｌ以下であるならば（A４０１のYes)、ＣＰＵ１０１は、第１の収納カセット１１に用紙Pが収納されているか否かを判断する（A４０２)。インク使用予測量が下限値であるaμｌ以下であるので、インクジェット記蝿装置１の中に収納されている厚さが一番薄い用紙で画像を印刷しても裏映りしないと判断できるからであるので、一番厚さの薄い用紙Pが収納されている用紙の有無を確認している。どの厚さの用紙がどの収納カセットに収納されているかは、インクジエクト記輔装置１の立上げ時に、センサ制御回路１３０を用いて判断されている。第１の収納カセット１１に用紙Pが収納されていないならば（A４０２のNo)、CPU１０１は、第１の収納カセット１１に用紙Pを補充するようにメッセージを出すために表示器・オベパネ制御回路１７０に指示をする（A４０３)。メッセージを出す際に、先に収納されていた用紙の種類と異ならせることがないようにメッセージの中に用紙の種類も示すことが望まれる。第１の収納カセット１１に用紙を補充する旨のメッセージを出力した所定後に、再度ＣＰＵ１０１はA４０２の判断を行う。この際に、記憶されている用紙の種類と異なる種類の用紙が収納されたと判断したならば、エラーメッセージを行うとともに再度補充のメッセージを行う。第１の収納カセット１１に用紙Pが収納されていると判断されたならば（A４０２のYes)、CPU１０１は第１の収納カセット１１に収納されている用紙を給紙するために、使用する収納カセット１１は、第１の１収納カセットであることをRAM１０３の所定の領域に記憶させる（A４０４)。
【００３５】
インク使用予測量がaμｌ以下でないならば（A４０１のN０)、CPU１０１は、第１面のインク使用予測量がaμｌより大きくbμl以下であるか否かを判断する（A４０５)。インク使用量両予測がｂμｌ以下であるならば（A４０５のYes)、ＣＰＵ１０１は、第２の取納カセット１３に用紙Pが収納されているか否かを判断する（A４０６)。 第２の収納カセット１３に収納されている用紙Pは、第１の収納カセット１１に取納されている用紙Pよりも厚く、インク使用予測量が、bμｌであっても裏映りしない用紙Pである事が前提である。所定の用紙Pが収納されているか否かは、インクジェット記録装置１の立上げ時に、センサ制御回路１３０を用いて判断されている。第２の収納カセット１３に用紙Pが収納されていないならば（A４０６のN０)、CPU１０１は、第２の収納カセット１３に用紙Pを補充するようにメッセージを出すように、表示器・オベパネ制御回路１７０に指示をする（A４０８)。メッセージを出す際に、先に収納されていた用紙の種類と異ならせることがないようにメッセージの中に用紙の種類も示すことが望まれる。第２の収納カセット１３に用紙を補充する旨のメッセージを出カした所定後に、再度CPU１０１は、A４０６の判断を行う。この際に、記憶されている用紙の種類と異なる種類の用紙が収納されたと判断したならば、エラーメッセージを行うとともに再度補充のメッセージを行う。第２の取納カセット１３に用紙Pが収納されていると判断されたならば（A４０６のYes)、ＣＰＵ１０１は、第２の収納カセット１３に収納されている用紙を給紙するために、使用するカセットは第２の収納カセット１３であることをRAM１０３の所定の領域に記憶させる（A４０８)。
【００３６】
インク使用予測量がbμｌ以下でないならば（A４０５のNo)、CPU１０１は、第１面のインク使用予測量がbμlより大きいと判断して第３の収納カセット１５に用紙Pが収納されているか苦かを判断する（A４０９)。第３の収納カセット１５に収納されている用紙Pは、第２の収納カセット１３に収納されている用紙Pよりも厚く、各収納カセットに収納されている用紙Pの中で最も厚い用紙Pであることが前提である。所定の用紙Pが収納されているか否かを、インクジェット記録装置１の立上げ時に、センサ制御回路１３０を用いて判断されている。第３の収納カセット１５に用紙Pが収納されていないならば（A４０９のN０)、CPU１０１は、第３の収納カセット１５に用紙Pを補充するようにメッセージを出すように、表示器・オベパネ制御回路１７Oに指示をする（A４１０)。 メッセージを出す際に、第１の収納カセット１１および第２の収納カセット１３に収納されている用紙Pと同一の種類の用紙Pを収納されることがないようにメッセージの中に用紙の種類に関する情報を示すことが望まれる。第３の収納カセット１５に用紙を補充する旨のメッセージを出力した所定後に、再度CPU１０１は、A４０９ の判断を行う。この様に、第１の収納カセット１１および第２の収納カセット１３に収納されている用紙Pと同一の種類の用紙Pが収納されたと判断したならば、エラーメッセージを行うとともに再度補充のメッセージを行う。第３の収納カセット１５に用紙Pが収納されていると判断されたならば（A４０９のYes)、ＣＰＵ１０１は、第３の収納カセット１５に収納されている用紙を給紙するために、使用する収納カセットは第３の収納カセット１５であることをRAM１０３の所定の領暗に記憶させる（A４１１)。A４０４、A４０８およびA４１１でRAM１０３の所定の領域に記憶された情報は図５のメインフローチャ}トで示したA３０６の処理の指定収納カセットの情報として使用される。
【００３７】
本実施の形態のように、インク使用予測量に基づいて厚さの異なる用紙で印刷させているので、用紙の裏映りを防止できる。また、外部からI/Fを介して送信されたデータに基づいて各画素のインクのドロップ量を実施しており、画憧形成の再現性や安定性、または、濃度不足による彩度低下の問題も生じない。さらに、カラーのインクジェット記録装置であるので、モノクロの印刷に比べてインク総量が多くなるので、この点でも有用である。
【００３８】
次に、第２の実施の形態について説明を行う。
（第２の実施の形態)
図３および図４は第１の実施の形態と同様であるので説明を省略するが、図４における収納カセット判断処理Ｂの符号がA５００に変更して説明を行う。収納カセット判断処理Ｂ（A５００)について図５を用いて
説明を行う。図６において、CPU１０１は、第１面の印刷面積率がｘ％以下であるか
否かを判断する（A５０１)。面積率がx%以下であるならば（A５０１のYes)、CPU１０４は、第１の収納カセット１１に用紙Pが収納されているか否かを判断する（A５０２)。このように第２の実施の形態では、第１の実施の形態において、インク使用予測量に基づいて判断されていた処理が、印刷面積率に変わっている。こお面積率がインク情報である。第２の実施形態の作用A５０２乃至A５０４については第１の実施の形態における作用A４０２乃至A４０４と同様であるため説明を省略する。また、第２の実施の形態において、作用A５０５は、第１の実施の形態A４０５のインク使用予測量がaμｌより大きくbμｌ以下である条件が、面積率がx％より大きくY%以下に変更されている以外同様であるので、説明を省略する。また、第２の実施の形態のA５０６乃至A５１１の作用は、第１の実施の形態のA４０６乃至A４１１の作用と同様であるので、説明を省略する。なお、Ａ５０５においてＣＰＵ１０１は、印刷面積がＹ％以下でないと判断した場合はＹ％を超えていると判断した場合である。
【００３９】
印刷の面積率に基づいて厚さの異なる用紙で印刷させているので、用紙の裏映りを防止できる。また、外部からI/Fを介して送信されたデータに基づいて各画棄のインクのドロップ量を実施しており、画像形成の再現性や安定性、または、濃度不足による彩度低下の問題も生じない。
【００４０】
印刷種類情報については、第１の実施の形態および第２の実植の形態とも用紙Pの厚さ情報を基にして説明をしたがこれに限定されることはない。用紙種類情報として、用紙坪量情報用いてもよい。また、一定の条件下（単位面積当たりの圧力差と時間の条件)で紙の厚さ方向に透過する空気の流速である透過度や光が紙面の反対に側に抜ける度合いの透過度の情報を用いてもよい。また、用紙種類情報を決定するために、第１の実施形態および第２の実施形態のように、インクジェット記録装置１内に用紙種類情報取得デバイスを設けて、収納カセットに用紙Pが収納される度に決定してもよいし、予めインクジェット記録装置１のROM１０２の中に記憶しておき、表示器６１に候補を表示させオベパネ６２からオペレータの指示に基づいて、決定するように用紙種類情報取得デバイスを構成してもよい。なお、用紙種類情報としては、A３，A４などの用紙の面積（サイズ)を示す情報を含まない。
【００４１】
また、実施の形態では、用紙Pは用紙反転機構を設け、共通のインクジェットヘッドで両面印刷を行うインクジェタト記録装置で説明をしたがこれに限定されず、用紙反転機構を設けず第１面と第２面を異なるインタジェットヘッドで印刷する場合であってもよい。インクジェット記録装置は、外部から印刷される印刷データに基づいて印刷を行うプリント機能で説明をしたが、これに限定されず、複写機などのスキャナ機能を有するものもインクジェット記録装置に該当する。
【００４２】
以上説明した少なくとも一つの実施形態のインクジェット記録装置によれば、コントローラによって用紙種類情報に基づいて前記インクジェットヘッドで画像を形成する記録媒体を決定しているので、用紙の画像裏映りを防止できる。また、外部からI/Fを介して送信されたデータに基づいて各画素のインクのドロップ量を実現しており、画像形成の再現性や安定性、または、濃度不足による再度の低下の問題も生じない。_
【００４３】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々省略、置き換え、変更を行うことができる。これらの実施形態やその変形は、発明の範囲は要旨に含まれるとともに、特許請求の範囲に記載された発明とその均等の範囲に含まれる。
【符号の説明】
【００４４】
１      …  インクジェット記録装置
１０    …  給紙部
１１    …  第１の収納カセット
１１    …  第２の収納カセット
１１    …  第３の収納カセット
２０    …  搬送部
３０    …  画像形成部
３１    …  インクジェットヘッド
６１    …  表示器
１０１  …  ＣＰＵ
１１２  …  給紙ローラモータ（第１の給紙ローラモータ）
１１４  …  給紙ローラモータ（第２の給紙ローラモータ）  
１１６  …  給紙ローラモータ（第３の給紙ローラモータ）
１４０  …  センサ制御回路  
１４１  …  用紙センサ  （第１の用紙センサ）
１４３  …  用紙センサ  （第２の用紙センサ）
１４５  …  用紙センサ  （第３の用紙センサ）
【図１】
2014141038.tif 000003
【図２】
2014141038.tif 000004
【図３】
2014141038.tif 000005
【図４】
2014141038.tif 000006
【図５】
2014141038.tif 000007
【図６】
2014141038.tif 000008